(57)【要約】【課題】  歩行中のユーザの左側への転倒または右側への転倒が防止できる歩行転倒防止装置、歩行転倒防止装置の制御装置及び制御方法、並びに、歩行転倒防止装置用制御プログラムを提供する。【解決手段】  入力インターフェース部２００で取得した路面の情報に基づいて、ユーザが装着可能な第１及び第２アシストウェア２ａ，２ｂ，２ｃの各脚の股関節又は各足首の左側面に対応する部分に配置されて流体を加減することにより伸縮する第１及び第３アクチュエータ１０ｈ，１０ｆ，１１ｈ，１１ｆと各脚の股関節又は各足首の右側面に対応する部分に配置されて流体を加減することにより伸縮する第２及び第４アクチュエータ１０ｅ，１０ｇ，１１ｅ，１１ｇとをそれぞれ独立してそれぞれの流体の供給量を制御することにより、股関節又は足首の左側面と右側面とにそれぞれ伝達する剛性目標を剛性制御部２４で変更する。【選択図】図１
2018114277.tif 000002
【特許請求の範囲】
【請求項１】
ユーザの歩行時における転倒を防止する歩行転倒防止装置であって、
アシスト機構と、
前記アシスト機構の動作を制御する制御装置とを備え、
前記アシスト機構は、
前記ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の左側面に対応する部分に配置され、前記腰部ベルトと前記膝上ベルトとの端部に連結されて、流体を加減することにより伸縮する第１アクチュエータと、
前記各脚の前記股関節の右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備え、
前記制御装置は、
前記ユーザが歩行する路面の情報を取得する入力インターフェース部と、
前記入力インターフェース部で取得した前記路面の情報に基づいて、前記第１〜第４アクチュエータをそれぞれ独立して前記それぞれの流体の供給量を制御することにより、前記股関節又は前記足首の左側面と右側面とにおける剛性を変更するように制御する剛性制御部とを備える、
歩行転倒防止装置。
【請求項２】
前記第１〜第４のアクチュエータは、それぞれ、中空を有する管状弾性体であり、
前記剛性制御部で前記中空内へ供給される前記流体を加減することにより前記管状弾性体が伸縮し、
前記剛性制御部で前記中空内へ供給される前記流体の供給量を制御することにより前記管状弾性体の剛性を変更する、
請求項１に記載の歩行転倒防止装置。
【請求項３】
前記剛性制御部で前記中空内へ供給される前記流体を加圧することにより前記管状弾性体を伸張し、前記中空内へ供給される前記流体を減圧することにより前記管状弾性体を収縮し、
前記剛性制御部で前記中空内へ供給される前記流体の前記供給量を所定値以上に維持することにより、前記管状弾性体の前記剛性を高め、
前記剛性制御部で前記中空内へ供給される前記流体の前記供給量を前記所定値未満に減少させることで、前記管状弾性体の前記剛性を低める、
請求項２に記載の歩行転倒防止装置。
【請求項４】
前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の曲率の情報を前記路面の情報として取得する路面情報推定部とを備えて、
前記剛性制御部は、前記入力インターフェース部が、前記路面の情報として、閾値以下の路面の曲率を有する路面曲率小のグループであるとの情報を取得したとき、前記第１〜第４アクチュエータの前記左側面と右側面とにそれぞれ伝達する剛性目標値を、初期設定された剛性目標値よりも大きくするように制御する、
請求項１〜３のいずれか１つに記載の歩行転倒防止装置。
【請求項５】
前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の曲率の情報を前記路面の情報として取得する路面情報推定部とを備えて、
前記剛性制御部は、前記入力インターフェース部が、前記路面の情報として、閾値よりも大きい路面の曲率を有する路面曲率大のグループであるとの情報を取得したとき、前記第１〜第４アクチュエータの前記左側面と右側面とにそれぞれ伝達する剛性目標値を、初期設定された剛性目標値よりも小さくするように制御する、
請求項１〜３のいずれか１つに記載の歩行転倒防止装置。
【請求項６】
前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報のうち前記足の裏が路面に接触しているタイミングの接地状態情報に基づき、前記路面の曲率の情報を前記路面の情報として取得する路面情報推定部とを備える、
請求項１〜５のいずれか１つに記載の歩行転倒防止装置。
【請求項７】
前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の段差の有無の情報を前記路面の情報として取得する路面情報推定部とを備えて、
前記剛性制御部は、前記路面情報推定部が、前記路面の情報として前記段差が有るという情報を推定したとき、前記第１〜第４アクチュエータをそれぞれ独立して流体を加えることにより、当該足に対応する前記股関節又は前記足首の前記左側面と右側面とにそれぞれ伝達する剛性目標値を、初期設定の剛性目標値よりも大きくするように制御する、
請求項１〜６のいずれか１つに記載の歩行転倒防止装置。
【請求項８】
前記入力インターフェース部は、
前記ユーザの各足の裏面に複数個配置されて前記ユーザが歩行するときの前記ユーザの各足と前記路面との接地状態情報を取得するフットセンサと、
前記路面の情報として、転倒しやすい路面状況の情報を取得する路面状況取得部とを備えて、
前記剛性制御部は、前記路面状況取得部が、前記路面の情報として前記転倒しやすい路面状況の情報を取得したとき、前記第１〜第４アクチュエータをそれぞれ独立して流体を加えることにより、当該足に対応する前記股関節又は前記足首の前記左側面と右側面とにそれぞれ伝達する剛性目標値とを、初期設定の剛性目標値よりも大きくするように制御する、
請求項１〜７のいずれか１つに記載の歩行転倒防止装置。
【請求項９】
ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の左側面に対応する部分に配置され、前記腰部ベルトと前記膝上ベルトとの端部に連結されて、流体を加減することにより伸縮する第１アクチュエータと、
前記各脚の前記股関節の右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置の制御装置であって、
前記ユーザが歩行する路面の情報を取得する入力インターフェース部と、
前記入力インターフェース部で取得した前記路面の情報に基づいて、前記第１〜第４アクチュエータをそれぞれ独立して前記それぞれの流体の供給量を制御することにより、前記股関節又は前記足首の左側面と右側面とにおける剛性を変更するように制御する剛性制御部とを備える、
歩行転倒防止装置の制御装置。
【請求項１０】
ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の左側面に対応する部分に配置され、前記腰部ベルトと前記膝上ベルトとの端部に連結されて、流体を加減することにより伸縮する第１アクチュエータと、
前記各脚の前記股関節の右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置の制御方法であって、
前記ユーザが歩行する路面の情報を入力インターフェース部で取得し、
前記入力インターフェース部で取得した前記路面の情報に基づいて、前記第１〜第４アクチュエータをそれぞれ独立して前記それぞれの流体の供給量を制御することにより、前記股関節又は前記足首の左側面と右側面とにおける剛性を変更するように剛性制御部で制御する、
歩行転倒防止装置の制御方法。
【請求項１１】
ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の左側面に対応する部分に配置され、前記腰部ベルトと前記膝上ベルトとの端部に連結されて、流体を加減することにより伸縮する第１アクチュエータと、
前記各脚の前記股関節の右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置用制御プログラムであって、
コンピュータを、
前記ユーザが歩行する路面の情報を取得する入力インターフェース部と、
前記入力インターフェース部で取得した前記路面の情報に基づいて、前記第１〜第４アクチュエータをそれぞれ独立して前記それぞれの流体の供給量を制御することにより、前記股関節又は前記足首の左側面と右側面とにおける剛性を変更するように制御する剛性制御部として機能させるための歩行転倒防止装置用制御プログラム。
【発明の詳細な説明】
【技術分野】
【０００１】
本発明は、ユーザが装着して歩行動作をアシストするときユーザの左側への転倒または右側への転倒を防止する歩行転倒防止装置、歩行転倒防止装置の制御装置及び制御方法、並びに、歩行転倒防止装置用制御プログラムに関する。
【背景技術】
【０００２】
近年、パワーアシスト、高齢者又は障害者の動作補助、又は、リハビリ支援などを目的として人が装着するアシスト装置と呼ばれる機器が盛んに開発されるようになってきた。これらの機器は人が装着して動作するため、人と親和性の高い動作方法が求められる。一般的に人が関節を動作させる時、動作に必要な関節のトルクを発生させると同時に、拮抗した筋肉によって剛性を変化させていることがわかっている。そのため、人と親和性の高い動作方法として、人体に伝達する剛性を適切に設定可能な部材を用いる方法が知られている（例えば、特許文献１及び２参照。）。
【先行技術文献】
【特許文献】
【０００３】
【特許文献１】特開2015-2970号公報
【特許文献２】特許5259553号公報
【発明の概要】
【発明が解決しようとする課題】
【０００４】
特に人に装着して歩行補助を行う場合、人が安全に歩行を続けるためには歩行の動作方向である前後方向だけではなく、人の横方向すなわち人の左側及び右側の転倒を防止できることが望ましい。
【０００５】
しかし、一般的なアシスト装置においては、アシストが必要な方向、すなわち歩行の場合は、前後方向のアシスト方法のみが考えられていることが多い。
【０００６】
本発明の目的は、前記従来の課題を解決し、歩行中のユーザの左側への転倒及び右側への転倒が防止できる歩行転倒防止装置、歩行転倒防止装置の制御装置及び制御方法、並びに、歩行転倒防止装置用制御プログラムを提供することにある。
【課題を解決するための手段】
【０００７】
前記目的を達成するために、本発明の態様としては以下のように構成する。
【０００８】
本発明の１つの態様によれば、ユーザの歩行時における転倒を防止する歩行転倒防止装置であって、
アシスト機構と、
前記アシスト機構の動作を制御する制御装置とを備え、
前記アシスト機構は、
前記ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備え、
前記制御装置は、
前記ユーザが歩行する路面の情報を取得する入力インターフェース部と、
前記入力インターフェース部で取得した前記路面の情報に基づいて、前記第１〜第４アクチュエータをそれぞれ独立して前記それぞれの流体の供給量を制御することにより、前記股関節又は前記足首の左側面と右側面とにおける剛性（例えば剛性目標値）を変更するように制御する剛性制御部とを備える、
歩行転倒防止装置を提供する。
【０００９】
これらの包括的または具体的な態様は、システム、方法、集積回路、コンピュータプログラムまたはコンピュータ読み取り可能な記録媒体で実現されてもよく、装置、システム、方法、集積回路、コンピュータプログラムおよびコンピュータ読み取り可能な記録媒体の任意な組み合わせで実現されてもよい。コンピュータ読み取り可能な記録媒体は、例えばＣＤ−ＲＯＭ（Ｃｏｍｐａｃｔ Ｄｉｓｃ−Ｒｅａｄ Ｏｎｌｙ Ｍｅｍｏｒｙ）などの不揮発性の記録媒体を含む。
【発明の効果】
【００１０】
本発明の前記態様によれば、路面情報に基づいて歩行中のユーザの左側への転倒または右側への転倒が防止できる。歩行中のユーザの左側への転倒または右側への転倒が防止できる。本開示の一態様の付加的な恩恵及び有利な点は本明細書及び図面から明らかとなる。この恩恵及び／又は有利な点は、本明細書及び図面に開示した様々な態様及び特徴により個別に提供され得るものであり、その１以上を得るために全てが必要ではない。
【図面の簡単な説明】
【００１１】
【図１】本発明の第１実施形態における歩行転倒防止装置のアシストパンツのアクチュエータの配置を示す図。
【図２】本発明の第１実施形態における歩行転倒防止装置の制御装置及び制御対象を示すブロック図。
【図３】第１実施形態における弾性体アクチュエータの一例である空気圧アクチュエータの構造及び動作を示す図。
【図４】本発明の第１実施形態におけるフットセンサの配置の一例を示す図。
【図５】本発明の第１実施形態における右足の歩行周期を示す図。
【図６】本発明の第１実施形態における路面の曲率状態を示す図。
【図７】本発明の第１実施形態におけるフットセンサの出力の一例を示す図。
【図８】本発明の第１実施形態におけるフットセンサの出力の一例を示す図。
【図９Ａ】本発明の第１実施形態におけるタイミング判別部の動作の一例を示す図。
【図９Ｂ】本発明の第１実施形態におけるタイミング判別部の動作の一例を示すグラフ。
【図１０】ユーザの身体における前額面と矢状面とを示す斜視図。
【図１１Ａ】本発明の第１実施形態における剛性目標値出力部の動作の一例を示す図。
【図１１Ｂ】本発明の第１実施形態における剛性目標値出力部の動作の一例を示すグラフ。
【図１２】本発明の第１実施形態における剛性目標値出力部の変形例の一例を示す図。
【図１３】本発明の第１実施形態における空気圧アクチュエータの配置を示す図。
【図１４】本発明の第１実施形態における各アクチュエータの目標弾性係数のタイミングチャートの一例を示す図。
【図１５】本発明の第１実施形態における空気圧アクチュエータの位置関係を示す図。
【図１６】本発明の第１実施形態における段差の路面形状とユーザの足との関係を説明する図。
【図１７】本発明の第１実施形態におけるフットセンサの出力の一例を示す図。
【図１８】本発明の第２実施形態における歩行転倒防止装置の制御装置及び制御対象を示すブロック図。
【図１９】本発明の第２実施形態における路面状況入力部の一例を示す図。
【図２０Ａ】本発明の第２実施形態における前額剛性目標値出力部の動作の一例を示す図。
【図２０Ｂ】本発明の第２実施形態における前額剛性目標値出力部の動作の一例を示す図。
【図２０Ｃ】本発明の第２実施形態における前額剛性目標値出力部の動作の一例を示すグラフ。
【図２１】本発明の第１及び第２実施形態の変形例におけるアシストシステムの概要を示す図。
【図２２】本発明の第１及び第２実施形態の変形例におけるアシストパンツ内のアクチュエータの配置を示す図。
【図２３】本発明の第１及び第２実施形態の変形例における股関節及び足首関節のトルクの一例を示す図。
【図２４】路面曲率に対応したフットセンサ８ｂの信号モデルの図。
【図２５】図７及び図８のフットセンサのそれぞれの状態と、図２４に示したフットセンサの信号モデルＡ〜Ｄとの一致度を示した図。
【図２６】段差を踏んでしまった場合の信号モデル図。
【発明を実施するための形態】
【００１２】
以下に、本発明にかかる実施の形態を図面に基づいて詳細に説明する。
【００１３】
以下、図面を参照して本発明における実施形態を詳細に説明する前に、本発明の種々の態様について説明する。
【００１４】
本発明の第１の態様によれば、ユーザの歩行時における転倒を防止する歩行転倒防止装置であって、
アシスト機構と、
前記アシスト機構の動作を制御する制御装置とを備え、
前記アシスト機構は、
前記ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備え、
前記制御装置は、
前記ユーザが歩行する路面の情報を取得する入力インターフェース部と、
前記入力インターフェース部で取得した前記路面の情報に基づいて、前記第１〜第４アクチュエータをそれぞれ独立して前記それぞれの流体の供給量を制御することにより、前記股関節又は前記足首の左右方向、すなわち、左側面と右側面とにおける剛性を変更するように制御する剛性制御部とを備える、
歩行転倒防止装置を提供する。
【００１５】
前記第１の態様によれば、各アクチュエータの流体の供給量は、路面情報に基づいて股関節又は足首の左側面と右側面とにおける剛性を変更するように制御される。これにより歩行中のユーザの左側への転倒及び右側への転倒が防止できる。
【００１６】
本発明の第２の態様によれば、
前記第１〜第４のアクチュエータは、それぞれ、中空を有する管状弾性体であり、
前記剛性制御部で前記中空内へ供給される前記流体を加減することにより前記管状弾性体が伸縮し、
前記剛性制御部で前記中空内へ供給される前記流体の供給量を制御することにより前記管状弾性体の剛性を変更する、
第１の態様に記載の歩行転倒防止装置を提供する。
【００１７】
本発明の第３の態様によれば、
前記剛性制御部で前記中空内へ供給される前記流体を加圧することにより前記管状弾性体を伸張し、前記中空内へ供給される前記流体を減圧することにより前記管状弾性体を収縮し、
前記剛性制御部で前記中空内へ供給される前記流体の前記供給量を所定値以上に維持することにより、前記管状弾性体の前記剛性を高め、
前記剛性制御部で前記中空内へ供給される前記流体の前記供給量を前記所定値未満に減少させることで、前記管状弾性体の前記剛性を低める、
第２の態様に記載の歩行転倒防止装置を提供する。
【００１８】
本発明の第４の態様によれば、前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の曲率の情報を前記路面の情報として取得する路面情報推定部とを備えて、
前記剛性制御部は、前記入力インターフェース部が、前記路面の情報として、閾値以下の路面の曲率を有する路面曲率小のグループであるとの情報を取得したとき、前記第１〜第４のアクチュエータの前記左側面と右側面とにそれぞれ伝達する剛性目標値を、初期設定された剛性目標値よりも大きくする、
第１〜３のいずれか１つの態様に記載の歩行転倒防止装置を提供する。
【００１９】
て前記第４の態様によれば、閾値以下の路面の曲率を取得して路面が転倒しやすい場合には、ユーザの各脚の左側面と右側面とにそれぞれ伝達する剛性目標値を、それぞれ初期設定された剛性目標値よりも大きくして転倒の防止を行うことができる。また、フットセンサを備えることで、ユーザは自ら自発的に路面情報を入力する必要がなく、歩行転倒防止装置を装着して歩行するだけで、自動で路面情報を入手できる。
【００２０】
本発明の第５の態様によれば、前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の曲率の情報を前記路面の情報として取得する路面情報推定部とを備えて、
前記剛性制御部は、前記入力インターフェース部が、前記路面の情報として、閾値より大きい路面の曲率を有する路面曲率大のグループであるとの情報を取得したとき、前記第１〜第４のアクチュエータの前記股関節又は前記足首の左側面と右側面とにそれぞれ伝達する剛性目標値を、初期設定された剛性目標値よりも小さくする、
第１〜３のいずれか１つの態様に記載の歩行転倒防止装置を提供する。
【００２１】
前記第５の態様によれば、閾値よりも大きな路面の曲率を取得して路面が転倒しにくい場合には、前記股関節又は前記足首の左側面と右側面とにそれぞれ伝達する剛性目標値を、初期設定された剛性目標値よりも小さくして股関節又は足首の自由度を高めて動きやすくすることができる。
【００２２】
本発明の第６の態様によれば、前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報のうち前記足の裏が路面に接触しているタイミングの接地状態情報に基づき、前記路面の曲率の情報を前記路面の情報として取得する路面情報推定部とを備える、
第１〜５の態様のいずれか１つに記載の歩行転倒防止装置を提供する。
【００２３】
前記第６の態様によれば、フットセンサで取得した接地状態情報のうち、足の裏が路面に接触しているタイミングの接地状態情報に基づき、前記路面の曲率の情報を前記路面の情報として路面情報推定部で取得することもでき、転倒防止の制御に使用することができる。例えば、ユーザが平らな路面を歩行しているときの足の裏全体が路面に接触しているタイミングの接地状態情報を用いることによって、路面情報をより正確に得ることができる。
【００２４】
本発明の第７の態様によれば、前記入力インターフェース部は、
前記ユーザの各足の裏面に複数個配置されて前記ユーザが歩行するときの前記ユーザの各足と前記路面との接地状態情報を取得するフットセンサと、
前記フットセンサの前記接地状態情報に基づき前記路面の曲率の情報を前記路面の情報として取得する路面情報推定部とを備えて、
前記剛性制御部は、前記路面情報推定部が、前記路面の情報として前記段差が有るという情報を推定したとき、前記第１〜第４のアクチュエータをそれぞれ独立して流体を加えることにより、当該足に対応する前記股関節又は前記足首の前記左側面と右側面とに伝達する剛性目標値を、初期設定の剛性目標値よりも大きくするように制御する、
第１〜６の態様のいずれか１つに記載の歩行転倒防止装置を提供する。
【００２５】
前記第７の態様によれば、ユーザが歩行中に例えば足の裏の半分程度が溝又は開口に差し掛かったとき、前記路面の前記脚が接触している部分に段差が有るという情報を前記路面情報推定部で推定することができ、その結果、前記股関節又は前記足首の左側面と右側面とに伝達する剛性を変更するように前記剛性制御部で制御して転倒防止を図ることができる。
【００２６】
本発明の第８の態様によれば、前記入力インターフェース部は、
前記ユーザの各足の裏面に複数個配置されて前記ユーザが歩行するときの前記ユーザの各足と前記路面との接地状態情報を取得するフットセンサと、
前記路面の情報として、転倒しやすい路面状況の情報を取得する路面状況取得部とを備えて、
前記剛性制御部は、前記路面状況取得部が、前記路面の情報として前記転倒しやすい路面状況の情報を取得したとき、前記第１〜第４のアクチュエータをそれぞれ独立して流体を加えることにより、当該足に対応する前記股関節又は前記足首の前記左側面と右側面とにそれぞれ伝達する剛性目標値を、初期設定の剛性目標値よりも大きくするように制御する、
第１〜７の態様のいずれか１つに記載の歩行転倒防止装置を提供する。
【００２７】
第８の態様によれば、転倒しやすい路面状況の情報を路面状況取得部で取得したとき、前記股関節又は前記足首の左側面と右側面とにそれぞれ伝達する剛性を変更するように前記剛性制御部で制御して転倒防止を図ることができる。
【００２８】
本発明の第９の態様によれば、ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置の制御装置であって、
前記ユーザが歩行する路面の情報を取得する入力インターフェース部と、
前記入力インターフェース部で取得した前記路面の情報に基づいて、前記第１〜第４のアクチュエータをそれぞれ独立して前記それぞれの流体の供給量を制御することにより、前記股関節又は前記足首の左側面と右側面とにそれぞれ伝達する剛性を変更するように制御する剛性制御部とを備える、
歩行転倒防止装置の制御装置を提供する。
【００２９】
前記第９の態様によれば、各アクチュエータの流体の供給量は、路面情報に基づいて股関節又は足首の左側面と右側面とにおける剛性を変更するように制御される。これにより歩行中のユーザの左側への転倒及び右側への転倒が防止できる。
【００３０】
本発明の第１０の態様によれば、ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置の制御方法であって、
前記ユーザが歩行する路面の情報を入力インターフェース部で取得し、
前記入力インターフェース部で取得した前記路面の情報に基づいて、前記第１〜第４のアクチュエータをそれぞれ独立して前記それぞれの流体の供給量を制御することにより、前記股関節又は前記足首の左側面と右側面とにそれぞれ伝達する剛性を変更するように剛性制御部で制御する、
歩行転倒防止装置の制御方法を提供する。
【００３１】
前記第１０の態様によれば、各アクチュエータの流体の供給量は、路面情報に基づいて股関節又は足首の左側面と右側面とにおける剛性を変更するように制御される。これにより歩行中のユーザの左側への転倒及び右側への転倒が防止できる。
【００３２】
本発明の第１１の態様によれば、ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置用制御プログラムであって、
コンピュータを、
前記ユーザが歩行する路面の情報を取得する入力インターフェース部と、
前記入力インターフェース部で取得した前記路面の情報に基づいて、前記第１〜第４のアクチュエータをそれぞれ独立して前記それぞれの流体の供給量を制御することにより、前記股関節又は前記足首の左側面と右側面とにそれぞれ伝達する剛性を変更するように制御する剛性制御部として機能させるための歩行転倒防止装置用制御プログラムを提供する。
【００３３】
前記第１１の態様によれば、各アクチュエータの流体の供給量は、路面情報に基づいて股関節又は足首の左側面と右側面とにおける剛性を変更するように制御される。これにより歩行中のユーザの左側への転倒及び右側への転倒が防止できる。
【００３４】
以下に、本発明にかかる実施の形態を図面に基づいて詳細に説明する。
【００３５】
（第１実施形態）
図１は、本発明の第１実施形態にかかる歩行転倒防止装置の一例としてのアシストシステム１の概要を示す図である。図２は、アシストシステム１の制御装置３及び制御対象を示すブロック図である。
【００３６】
アシストシステム１は、ユーザ１００の歩行時における転倒を防止する装置であって、ユーザ１００が装着するアシスト機構２と、アシスト機構２の動作を制御する制御装置３とを備えている。
【００３７】
アシスト機構２は、ユーザ１００の下半身の少なくとも一部に装着されるアシストウェア例えばアシストパンツ２ａ又はアシストアンクルバンド２ｂ，２ｃ、又は、それらのいずれかとアシストソックス２ｊ，２ｋとの組み合わせ、又は、アシストパンツ２ａとアシストアンクルバンド２ｂ，２ｃとアシストソックス２ｊ，２ｋとの組み合わせなどと、アシストパンツ用アクチュエータ又はアシストアンクルバンド用アクチュエータとで構成されている。アシストパンツ用アクチュエータは第１のアシストウェアの例として機能し、アシストアンクルバンド用アクチュエータは第２のアシストウェアの例として機能する。
【００３８】
アシストパンツ２ａは、ユーザ１００が下半身に着脱可能に装着するアシストパンツ本体２ｄと、腰部ベルト４と、左右の膝上ベルト５ａ、５ｂと、少なくとも腿アクチュエータ１０（１０ｅ，１０ｆ，１０ｇ，１０ｈ）とを備えている。制御装置３は、各腿アクチュエータ１０に供給する流体の供給量を加減することにより各腿アクチュエータ１０の伸縮をそれぞれ動作制御している。
【００３９】
腰部ベルト４は、アシストパンツ本体２ｄの上端縁に固定された、例えば布ベルトで構成されて、ユーザ１００の腰部を着脱可能に拘束している。左右の膝上ベルト５ａ、５ｂは、アシストパンツ本体２ｄの左右の下端縁（裾）に固定された、例えば布ベルトで構成されて、ユーザ１００の左右の膝部を着脱可能に拘束している。
【００４０】
各腿アクチュエータ１０は、アシストパンツ本体２ｄの腰部ベルト４と左右の膝上ベルト５ａ、５ｂとの間に長手方向沿いに配置されている。具体的には、腿アクチュエータ１０は、アシストパンツ本体２ｄにおいて、ユーザ１００の右太腿外側（右太腿右側面）に対応する部分に配置された右太腿右側の腿アクチュエータ１０ｅと、両太腿内側に対応する部分に配置された右太腿左側と左太腿右側との腿アクチュエータ１０ｆ、１０ｇと、左太腿外側（左太腿左側面）に対応する部分に配置された左太腿左側の腿アクチュエータ１０ｈとで構成されている。右太腿右側の腿アクチュエータ１０ｅと左太腿右側の腿アクチュエータ１０ｇとはそれぞれ第２アクチュエータの例として機能し、右太腿左側の腿アクチュエータ１０ｆと左太腿左側の腿アクチュエータ１０ｈとはそれぞれ第１アクチュエータの例として機能する。
【００４１】
また、アシストアンクルバンド２ｂ，２ｃには、ユーザ１００が左右の足首に着脱可能に装着するアンクルバンド本体２ｇ，２ｈと、左右の足首上ベルト６ａ、６ｂと、足首下ベルト７ａ、７ｂと、足首アクチュエータ１１（１１ｅ，１１ｆ，１１ｇ，１１ｈ）とを備えている。制御装置３は、各足首アクチュエータ１１を、腿アクチュエータ１０とは独立して、それぞれ動作制御している。
【００４２】
左右の足首上ベルト６ａ、６ｂは、アンクルバンド本体２ｇ，２ｈの上端縁に固定された、例えば布ベルトで構成されている。足首下ベルト７ａ、７ｂは、左右の足首の下端縁に固定された、例えば布ベルトで構成されている。左右の足首上ベルト６ａ、６ｂと足首下ベルト７ａ、７ｂとで、ユーザ１００の左右の足首を着脱可能に拘束している。
【００４３】
各足首アクチュエータ１１は、アンクルバンド本体２ｇ，２ｈの左右の足首上ベルト６ａ、６ｂと足首下ベルト７ａ、７ｂとの間に長手方向沿いに配置されている。具体的には、足首アクチュエータ１１は、ユーザ１００の右足首側面に対応する部分に配置された右足右側の足首アクチュエータ１１ｅと、両足首内側に対応する部分に配置された右足左側と左足右側との足首アクチュエータ１１ｆ、１１ｇと、左足首側面に対応する部分に配置された左足左側の足首アクチュエータ１１ｈとで構成されている。右足右側の足首アクチュエータ１１ｅと左足右側の足首アクチュエータ１１ｇとはそれぞれ第４アクチュエータの例として機能し、右足左側の足首アクチュエータ１１ｆと左足左側の足首アクチュエータ１１ｈとはそれぞれ第３アクチュエータの例として機能する。
【００４４】
右脚の外側と内側との腿アクチュエータ１０ｅと１０ｆとが拮抗の関係にあり、左脚の内側と外側との腿アクチュエータ１０ｇと１０ｈとが拮抗の関係にある。よって、制御装置３の動作制御により外側と内側との腿アクチュエータ１０ｅと１０ｆに対してそれぞれ独立して流体の供給量を制御して、拮抗関係のペアの右脚の外側と内側との腿アクチュエータ１０ｅと１０ｆとが、それぞれ引っ張り合うように駆動されることで、右脚の太腿に剛性及び右脚股関節の左右のトルクを発生することができる。また、制御装置３の動作制御により外側と内側との腿アクチュエータ１０ｇと１０ｈに対してそれぞれ独立して流体の供給量を制御して、拮抗関係のペアの左脚の内側と外側との腿アクチュエータ１０ｇと１０ｈとが、それぞれ引っ張り合うように駆動されることで、左脚の太腿に剛性及び左脚股関節の左右のトルクを発生することができる。
【００４５】
足首アクチュエータ１１も同様に、右足の外側と内側との足首アクチュエータ１１ｅと１１ｆとが拮抗の関係にあり、左足の内側と外側との足首アクチュエータ１１ｇと１１ｈとが拮抗の関係にある。よって、制御装置３の動作制御により、拮抗関係のペアの右足首アクチュエータ１１ｅと１１ｆとが、それぞれ引っ張り合うように駆動されることで、右足首関節の左右のトルクと剛性を発生することができる。また、制御装置３の動作制御により、拮抗関係のペアの左足首アクチュエータ１１ｇと１１ｈとが、それぞれ引っ張り合うように駆動されることで、左足首関節の左右のトルクと剛性を発生することができる。
【００４６】
各腿アクチュエータ１０及び各足首アクチュエータ１１は、それぞれ、一例として、弾性体アクチュエータの一種である空気圧アクチュエータ８０である。図３は空気圧アクチュエータ８０の構造及び動作を示す。
【００４７】
空気圧アクチュエータ８０は、図３に示すように、ゴム材料で構成された駆動部として機能する、中空を有する管状弾性体、すなわち、管状の中空弾性体８１の外表面に、材料的には伸びにくい樹脂又は金属の繊維コードで網目状に編んだ変形方向規制部材８２が配設される。変形方向規制部材８２は、管状の中空弾性体８１の膨張による半径方向の変形が、規制されて半径方向と直交する軸方向の長さの収縮に変換される一方、管状の中空弾性体８１の収縮による半径方向の変形が、規制されて軸方向の長さの膨張に変換されるように構成される。管状の中空弾性体８１の両端部は、封止部材８３でそれぞれ気密封止する。空気圧アクチュエータ８０の一方の端部の封止部材８３に備えられた管状の流体通過部材８４は、内部に空気等の圧縮性流体が通過する流体の流路を有し、流体通過部材８４を通して、中空の管状弾性体８１の中空内部に対して流体の注入あるいは注出が可能となる。流体通過部材８４を通じての空気等の圧縮性流体が、中空の管状弾性体８１に供給される。なお、流体通過部材８４は、空気圧アクチュエータ８０の封止部材８３の両方の端部にそれぞれ備えられていてもよい。
【００４８】
供給された圧縮性流体により内圧を中空の管状弾性体８１の内部空間に与えると、中空の管状弾性体８１が主に半径方向に膨張しようとする。しかしながら、変形方向規制部材８２の規制作用により、中空の管状弾性体８１の中心軸方向の運動に変換され、全長が収縮するため、直動駆動の弾性体アクチュエータとして利用可能である。すなわち、制御装置３で中空内へ供給される流体を加圧することにより管状弾性体８１を伸張し、中空内へ供給される流体を減圧することにより管状弾性体８１を収縮するとともに、制御装置３で中空内へ供給される流体の供給量を所定値以上に維持することにより、管状弾性体８１の剛性を高め、制御装置３で中空内へ供給される流体の供給量を所定値未満に減少させることで、管状弾性体８１の剛性を低めるようにしている。
【００４９】
図２は、本発明の第１実施形態におけるアシストパンツ２ａ又はアシストアンクルバンド２ｂ，２ｃの制御装置３及び制御対象であるアシストパンツ２ａ又はアシストアンクルバンド２ｂ，２ｃのアクチュエータ１０及び制御装置３に対する入力側の入力インターフェース部２００を示すブロック図である。入力インターフェース部２００は取得器と呼んでもよい。
【００５０】
制御装置３は、この第１実施形態では、一例として、一般的なマイクロコンピュータにより構成されており、制御装置３は、剛性制御部の一例として機能する前額剛性目標値出力部２４を有する制御プログラム４０と、ユーザ１００が歩行する路面の情報を取得する入力インターフェース部２００とで構成されている。よって、制御装置３で中空内へ供給される流体を加減することにより、管状弾性体の腿アクチュエータ１０又は足首アクチュエータ１１が伸縮し、制御装置３で中空内へ供給される前記流体の供給量を制御することにより、管状弾性体の腿アクチュエータ１０又は足首アクチュエータ１１の剛性を変更する。
【００５１】
前額剛性目標値出力部２４は、拮抗関係の腿アクチュエータ１０又は足首アクチュエータ１１にそれぞれ独立して圧縮性流体を給排して圧力を加減することにより、股関節又は足首のそれぞれの左側面と右側面との剛性を変更可能である。
【００５２】
入力インターフェース部２００は、路面情報取得部の一例及びユーザ１００の歩行動作の歩行情報を取得する歩行情報取得装置の一例として機能するフットセンサ８ａ，８ｂを少なくとも備えている情報取得部の一例として機能している。具体的な例として、入力インターフェース部２００は、入出力ＩＦ４１と、ユーザ１００が歩行するときの歩行状態などに関する歩行情報を取得するフットセンサ８ａ、８ｂとを備えている。
【００５３】
入出力ＩＦ（インターフェース）４１は、マイクロコンピュータのＰＣＩバスなどの拡張スロットに接続された、例えば、Ｄ／Ａボードと、Ａ／Ｄボードと、カウンタボードとなどを備えるように構成されている。
【００５４】
制御装置３は、出力部の一例としての入出力ＩＦ４１を介して、アクチュエータ１０、１１に制御装置３から制御信号を送る。また入力部としてフットセンサ８ａ，８ｂからの入力を入出力ＩＦ４１を介してそれぞれ制御装置３が受け付ける。制御装置３は、具体的な例としては、歩行周期推定部２０と、路面情報推定部２１と、タイミング判別部２３と、前額剛性目標値出力部２４と、アクチュエータ設定値設定部２６と、アクチュエータ制御部２７とを少なくとも備えて構成されている。なお、図２では、トルク目標値設定部２５と、矢状剛性目標値出力部２８とが含まれて図示されているが、これらは、第１実施形態としては不要であり、変形例として必要な構成であるため、後述する。
【００５５】
フットセンサ８ａ、８ｂは、アシストパンツ２ａに備えられている。具体的には、フットセンサ８ａ、８ｂは、アシストソックス２ｊ，２ｋの足裏面などに備えられている。フットセンサ８ａ、８ｂは、ユーザ１００の両足の接地状態をそれぞれ検出して、入出力ＩＦ４１を介して歩行周期推定部２０と路面情報推定部２１とに路面情報を出力する。両足の接地状態のうち、足の裏又は裏全体が接地したときの両足の接地状態は、接地している接地面、例えば路面の状態も表すことになり、路面の情報をそれぞれ検出していることにもなる。フットセンサ８ａ、８ｂをアシストシステム１に備える場合には、フットセンサ８ａ、８ｂを設けたアシストソックス２ｊ，２ｋを、アシストパンツ２ａ又はアシストアンクルバンド２ｂ，２ｃとは別個に備えるか、アシストアンクルバンド２ｂ，２ｃと一体的にアシストソックス２ｊ，２ｋを備えることができる。
【００５６】
図４は、左足のアシストソックス２ｋの足裏面の多数のフットセンサ８ｂの配置の一例を示す図である。右足のアシストソックス２ｊの足裏面にも、図４の左足と同様に、多数のフットセンサ８ａが配置されている。
【００５７】
フットセンサ８ａ、８ｂとしては、左足のみでＬ１〜Ｌ２６までの２６個が配置され、右足には対称に同じくＲ１〜Ｒ２６までの２６個が配置されており（図示せず）、フットセンサ８ａ、８ｂの配置されている部分が路面と接地していると、フットセンサ８ａ、８ｂからＯＮの信号がそれぞれ出力され、フットセンサ８ａ、８ｂの配置されている部分が路面と接地していないと、フットセンサ８ａ、８ｂからＯＦＦの信号がそれぞれ出力される。５２個のフットセンサ８ａ、８ｂの識別情報（例えば、踵、つま先などの位置情報など）と５２個のフットセンサ８ａ、８ｂのＯＮ／ＯＦＦとをすべてをまとめて、接地状態情報と呼ぶ。この接地状態情報には、路面情報とは、フットセンサ８ａ、８ｂの識別情報とフットセンサ８ａ、８ｂのＯＮ／ＯＦＦの情報とを含むため、例えば、足の踵が路面に接地しているか否かの情報、及び、路面の凹凸状態の情報などが、路面情報又は路面凹凸状態情報として、抽出可能となっている。
【００５８】
歩行周期推定部２０には、フットセンサ８ａ、８ｂからの左右の足の接地状態情報が、それぞれ入出力ＩＦ４１を介して入力される。歩行周期推定部２０は、フットセンサ８ａ、８ｂからの接地状態情報と内部のタイマーから取得しかつフットセンサ８ａ，８ｂのいずれかがオン信号状態になったときからの時間情報（歩行時間）とに基づき、アシストパンツ２ａ又はアシストアンクルバンド２ｂ，２ｃを着用しているユーザ１００の歩行周期を算出する。一例として、図５に右足の歩行周期を示す。図５に示すように、歩行周期推定部２０は、右足の踵接地時を歩行周期が０％として、左足が路面から完全に離れた時を歩行周期が１０％であり、右足の踵が路面から離れた時を歩行周期が３０％であり、左足踵の接地時が歩行周期が５０％であり、右足が路面から完全に離れた時を歩行周期が６０％であり、右足踵が再び接地した時を歩行周期が１００％＝０％であると、それぞれ定義する。そして、歩行周期推定部２０は、ユーザ１００の歩行が現時点で何％の状態にあるかの情報とユーザ１００の歩行時間とを、歩行周期情報として、タイミング判別部２３と、トルク目標値設定部２５と、路面情報推定部２１と、矢状剛性目標値出力部２８とにそれぞれ出力する。なお、歩行周期としては、足が接地した瞬間が０％であるとし、０個のフットセンサ８ａ及び８ｂがＯＮの状態から、１つのフットセンサ８ａ又は８ｂでもＯＮの状態になったときが０％と瞬時に決まる。その後、例えば、前周期（もしくは前数周期分）の情報から、１周期あたりの時間を算出して、０％から加算していくことで、歩行周期を定義することができる。
【００５９】
路面情報推定部２１は、右左のフットセンサ８ａ，８ｂからそれぞれ入力された足の接地状態情報と歩行周期推定部２０から入力された歩行周期情報とを基に、ユーザ１００の足が接地している路面の曲率Ｒを曲率情報として推定し、推定した路面の曲率Ｒの情報（曲率情報）を前額剛性目標値出力部２４に出力する。すなわち、路面情報推定部２１は、足の裏又は裏全体が路面に接地したときのフットセンサ８ａ，８ｂのオンオフ信号に基づき、路面の曲率Ｒの情報を路面情報として取得する。
【００６０】
図６の（ａ）及び（ｂ）は、それぞれ、路面の拡大断面状態を概略的に示す図である。図６の（ａ）の状態では、細かい凸凹が路面に存在している状態であるのに対し、図６の（ｂ）の状態では、細かい凸凹はなく、路面はほぼ平坦の状態である。これらの状態の路面の表面の凸の曲率を曲率半径Ｒで表現する。一般に、図６の（ｂ）のように、細かい凸凹はなく、路面はほぼ平坦の状態である場合には、ユーザ１００は転倒しにくいため、剛性がさほど高くしなくてもよいが、図６の（ａ）のように、細かい凸凹が路面に存在している状態である場合には、ユーザ１００は転倒しやすいため、先の場合よりも剛性を高くするように、制御装置３で動作制御する。
【００６１】
図７は、図６の（ａ）の状態の路面上にユーザ１００の足がある時のフットセンサ８ｂの状態を示す図である。ハッチングされたフットセンサ８ｂは、路面との接触でＯＮ状態を示し、ハッチング無しのフットセンサ８ｂは、路面との接触でＯＦＦ状態を示す。図６の（ａ）の状態の路面は、細かい凸凹が路面にあり、足の裏と路面とが点接触する部分が多いため、ユーザ１００の足と路面との接触部分が踵及びつま先で、まばらになっている。
【００６２】
図８は、図６の（ｂ）の状態の路面上にユーザ１００の足がある時のフットセンサ８ｂの状態を示す図である。図７と同じく、ハッチングされたセンサ８ｂは路面との接触でＯＮ状態を示し、ハッチング無しのフットセンサ８ｂは、路面との接触でＯＦＦ状態を示す。図６の（ｂ）の状態の路面はほぼ平坦であり、足の裏と路面とが面接触する部分が多いため、踵及びつま先で多くのフットセンサ８ｂが隣接するフットセンサ８ｂと共にＯＮ状態になっている。
【００６３】
従って、図７のように隣接するフットセンサ８ｂでもオン信号状態とオフ信号状態とが入り混じっている状態であることは、図８のように隣接するフットセンサ８ｂ同士が同じオン信号状態となっている状態と比較して、図６の（ａ）の状態の曲率Ｒが、図６の（ｂ）の状態の曲率Ｒよりも小さくなっていることを意味している。このため、図６の（ａ）の状態、言い換えれば、図７のような隣接するフットセンサ８ｂでもオン信号状態とオフ信号状態とが入り混じっている状態では、脚の股関節又は足首の左側面と右側面とにそれぞれ伝達する剛性を大きくするように制御装置３で制御しようとしている。
【００６４】
路面情報推定部２１は、具体的には次のようにして路面情報を取得する。路面情報推定部２１は、図２４に示すような路面曲率に対応したフットセンサ８ｂの信号モデルを予め持っている。図２４の一例では、信号モデルＡが最も路面曲率が大きく、信号モデルＡから信号モデルＤに向かうに従い路面曲率が小さくなり、信号モデルＤが最も小さい。また、信号モデルＡ、信号モデルＢを、それぞれ、「路面Ｒ大のグループ」（路面曲率大のグループ）と、「路面Ｒ小のグループ」（路面曲率小のグループ）と、予め決めておく。入力されたフットセンサ８ｂの信号に対して、それぞれの信号モデルＡと、信号モデルＢとのそれぞれの一致度を計算する。図７及び図８のフットセンサ８ｂの状態図を例に説明する。図２５は、図７及び図８のフットセンサ８ｂのそれぞれの状態と、図２４に示したフットセンサ８ｂの信号モデルＡ〜Ｄとの一致度を示した図である。これによると、図７のフットセンサ８ｂの状態は信号モデルＣと最も一致度が高い。そのため、図７の信号が入力された時、路面曲率の状態は信号モデルＣと路面情報推定部２１で判定し、この場合は路面小グループに分けられると路面情報推定部２１で判定する。次に、図８のフットセンサ８ｂの状態は信号モデルＢと最も一致度が高い。そのため、図８の信号が入力された時、路面曲率の状態はＢと路面情報推定部２１で判定し、この場合は路面大グループに分けられると路面情報推定部２１で判定する。このようにして、路面情報推定部２１は曲率Ｒがどの程度であるかを判定して、判定した情報を出力する。
【００６５】
なお、図２４の一例では、信号モデルＡ，Ｂ，Ｃ，Ｄの路面状態に対してそれぞれ信号モデルを１つ示したが、足が前後左右に少しずれた場合の信号モデルを用意し、それぞれの路面状態に対して複数の信号モデルを事前に用意しておくことを想定している。また、この例ではＯＮ／ＯＦＦの二値のモデルを例として挙げたが必ずしもそれに限るものではなく、フットセンサ８ｂが段階的に出力するものの場合、一般的な画像のマッチング技術等を用いることで一致度を出すことも出来る。
【００６６】
足の裏又は裏全体が路面に接触しているタイミングの足の接地状態情報は路面情報であるため、例えば、歩行周期推定部２０から入力された歩行周期情報に基づいて歩行周期情報が１０％〜１５％の間の右足又は左足の接地状態情報から、路面の曲率Ｒの概算を路面情報推定部２１で路面情報として推定して、推定した路面情報すなわち曲率情報を路面情報推定部２１から前額剛性目標値出力部２４に出力する。
【００６７】
タイミング判別部２３は、歩行周期推定部２０から出力された歩行周期情報に基づき、前額剛性目標値出力部２４に剛性（例えば剛性目標値）を変更する指令（すなわち、剛性変更タイミング信号又は剛性変更タイミング情報）を出力することにより、前額剛性目標値出力部２４で左側面と右側面とにそれぞれ伝達する剛性目標値を変更するタイミングを制御する。一例として、図９Ａ及び図９Ｂにタイミング判別部２３の動作を示し、「Ｕｐ」は剛性を上げる信号を剛性変更タイミング信号として出力すること、「Ｄｏｗｎ」は剛性を下げる信号を剛性変更タイミング信号として出力することを意味する。図９Ａ及び図９Ｂの例では、右足は歩行周期が０％〜６０％未満では、タイミング判別部２３は剛性を上げる信号を出力する。歩行周期が６０％〜９８％未満では、タイミング判別部２３は剛性を下げる信号を出力する。９８％〜１００％（＝０％）では、タイミング判別部２３は剛性を上げる信号を出力する。左足は、０％〜１０％未満では、タイミング判別部２３は剛性を上げる信号を出力する。１０％〜４８％未満では、タイミング判別部２３は剛性を下げる信号を出力する。４８％〜１００％（＝０％）では、タイミング判別部２３は剛性を上げる信号を出力する。
【００６８】
前額剛性目標値出力部２４は、路面情報推定部２１から出力された路面情報としての路面の曲率情報を基に、剛性を上げたときの前額方向の運動の剛性目標値を決定し、次に、タイミング判別部２３から出力された剛性変更タイミング信号により、決定した剛性目標値が、現在（すなわち、アシストする前）の剛性値よりも高い剛性値であるか又は低い剛性値であるかを選択する。前額方向とは前額面内の方向を意味し、前額面１５１とは、図１０に示すようにユーザ１００の身体を左右に貫く面で縦に切った面を意味する。すなわち、前額方向とは、おおむね、ユーザ１００の体の左右方向である。なお、前額面１５１と直交する身体を前後に貫く面で縦に切った面は矢状面１５２である。図１１Ａ及び図１１Ｂに、前額剛性目標値出力部２４の動作の一例として右足の剛性目標値の出力を示す。図１１Ａ及び図１１Ｂの「Ｒ」とは、足の裏全体が接地したときの路面の表面のフットセンサ８ａ，８ｂでオン信号として検出した凸部の曲率であり、「路面Ｒ大のグループ」とは、第１の所定値の一例として予め決められた路面の曲率Ｒの閾値Ｒｏよりも、推定した路面の曲率Ｒが大きい方のグループを意味し、例えば信号モデルＡ，Ｂである。「路面Ｒ小のグループ」とは、路面の曲率Ｒの閾値Ｒｏよりも、推定した路面の曲率Ｒが小さい方のグループを意味し、例えば信号モデルＣ，Ｄである。信号モデルＣ，Ｄは、信号モデルＡ，Ｂよりも足の接地状態がより悪化しているため、信号モデルＣ，Ｄでは、信号モデルＡ，Ｂよりも、より高剛性とする。閾値ＲＯの一例としては１ｍとする。この閾値ＲＯの値は、一例として、成人の足裏の幅を１００ｍｍ弱とし、足裏の右端縁から左端縁までの間で路面が５ｍｍ程度下がる曲率である。
【００６９】
具体的には、前額剛性目標値出力部２４は、まず、路面情報推定部２１から出力された路面の曲率Ｒの情報から、高剛性のタイミングでの剛性目標値を決定する。言い換えれば、図１１Ａ及び図１１Ｂにおいて、閾値ＲＯを基に、路面Ｒ大のグループの信号モデルＡ又はＢか、又は、路面Ｒ小のグループの信号モデルＣ又はＤであるかを決定する。
【００７０】
次に、前額剛性目標値出力部２４は、タイミング判別部２３から出力された剛性を変更する信号により、現在（すなわち、アシストする前）の剛性目標値を決定する。言い換えれば、前額剛性目標値出力部２４は、図９Ａより剛性変更タイミング信号が「Ｕｐ」か又は「Ｄｏｗｎ」かを決定して、図１１Ａの第１行の「上げた時」の行か、又は、第２行の「下げた時」の行かを決定する。そして、この決定した剛性目標値をアクチュエータ設定値設定部２６に出力する。例えば、前額剛性目標値出力部２４は、図１１Ａ及び図１１Ｂにおいて、路面情報推定部２１で推定された曲率Ｒが「路面Ｒ大のグループ」でかつ「上げた時」の場合には、剛性目標値として「３０」をアクチュエータ設定値設定部２６に出力する。また、路面情報推定部２１で推定された曲率Ｒが「路面Ｒ大のグループ」でかつ「下げた時」の場合には、剛性目標値として「１０」をアクチュエータ設定値設定部２６に出力する。一方、路面情報推定部２１で推定された曲率Ｒが「路面Ｒ小のグループ」でかつ「上げた時」の場合には、剛性目標値として「５０」をアクチュエータ設定値設定部２６に出力する。また、路面情報推定部２１で推定された曲率Ｒが「路面Ｒ小のグループ」でかつ「下げた時」の場合には、剛性目標値として「１０」をアクチュエータ設定値設定部２６に出力する。
【００７１】
これにより、前額剛性目標値出力部２４でアシスト用の剛性目標値が決定し、この決定した剛性目標値を前額剛性目標値出力部２４からアクチュエータ設定値設定部２６に出力する。なお、前額方向の運動とは、右脚の外側と内側との腿アクチュエータ１０ｅと１０ｆのペアによって発生する右股関節の左右の運動と、左脚の内側と外側との腿アクチュエータ１０ｇと１０ｈのペアによって発生する左股関節の左右の運動と、右足首の外側と内側との足首アクチュエータ１１ｅと１１ｆのペアによって発生する右足首関節の左右の運動と、左足首の内側と外側との足首アクチュエータ１１ｇと１１ｈのペアによって発生する左足首関節の左右の運動とを指す。なお、剛性値とは、アクチュエータ１０，１１の引っ張り剛性の値を意味し、単位はＮ／ｍである。なお、図１２に歩行周期が９８％〜１００％で剛性の値を上げるとき及び歩行周期が６０％付近で剛性の値を下げるときに示すように、剛性の値の変化は滑らかに発生してもよい。
【００７２】
アクチュエータ設定値設定部２６は、前額剛性目標値出力部２４から出力された剛性の目標値に基づき、腿アクチュエータ１０ｅ，１０ｆ，１０ｇ，１０ｈ又は足首アクチュエータ１１ｅ，１１ｆ，１１ｇ，１１ｈの設定値を設定し、設定した腿アクチュエータ１０ｅ，１０ｆ，１０ｇ，１０ｈ又は足首アクチュエータ１１ｅ，１１ｆ，１１ｇ，１１ｈの設定値をアクチュエータ設定値設定部２６からアクチュエータ制御部２７に出力する。
【００７３】
図１３は、一例として右股関節の左右のアクチュエータ１０ｅ，１０ｆの配置を示している。以下に、この図１３を用いて、アクチュエータ１０ｅとアクチュエータ１０ｆの両方によって発生する左右方向のトルクτと剛性の弾性係数Ｋとの求め方について説明する。なお、他の各アクチュエータ１０，１１の左右方向のトルクτと剛性の弾性係数Ｋとも、同様に求めることができる。
【００７４】
この図１３において、Ｏはユーザ１００の股関節の回転中心、Ａは右太腿右側の腿アクチュエータ１０ｅの作用点、Ｄは右太腿左側の腿アクチュエータ１０ｆの作用点、Ａｏはアクチュエータ１０ｅの起点、Ｄｏはアクチュエータ１０ｆの起点、ｒは点Ｏと点Ａの距離（言い換えれば、点Ｏと点Ｄの距離）、θａは線分ＯＡがＸ軸となす角、θｄは線分ＯＤがＸ軸となす角とする。ｘＡ０とｙＡ０とは点Ａのｘ座標とｙ座標である。距離ｒ、点Ａの位置、及び、点Ｄの位置はアシストパンツ２ａの設計値から予め算出し、アクチュエータ設定値設定部２６が記憶している。
【００７５】
このとき、回転中心Ｏに対するアクチュエータ１０ｅによるトルクτａは、
【数１】
2018114277.tif 000003
とおくと、
【数２】
2018114277.tif 000004
（ただし、Ｋａはアクチュエータ１０ｅの直動方向における弾性係数、ｌaはアクチュエータ１０ｅの自然長とする。）であり、アクチュエータ１０ｅによる回転方向の弾性係数Ｋθａは、
【数３】
2018114277.tif 000005
である。
【００７６】
また、アクチュエータ１０ｅとアクチュエータ１０ｆの両方によって発生する左右方向のトルクτは、
【数４】
2018114277.tif 000006
である。ただし、τｂは回転中心Ｏに対するアクチュエータ１０ｆによるトルクであり、τａと同様に算出できる。また、アクチュエータ１０ｅとアクチュエータ１０ｆの両方によって発生する剛性の弾性係数Ｋは、
【数５】
2018114277.tif 000007
で表すことができる。ただし、Ｋθｄはアクチュエータ１０ｆの回転方向の弾性係数であり、Ｋθａと同様に算出できる。
【００７７】
図１４に右足の腿アクチュエータ１０の歩行周期と目標弾性係数との関係の一例を示す。図１４は横軸は右足の歩行周期であり、縦軸は剛性の大きさを示している。
【００７８】
上から３番目のグラフに示すように、股関節の横方向では、アシストトルクを発生させず、剛性のみをアシストするため、左右のアクチュエータである右脚の外側と内側との腿アクチュエータ１０ｅと１０ｆとの弾性係数を同時に上げて剛性が同時に上がるように、前額剛性目標値出力部２４で制御している。
【００７９】
また、上から６番目のグラフに示すように、足首の横方向でも、アシストトルクを発生させず、剛性のみをアシストするため、左右の足首アクチュエータである右足首の外側と内側との足首アクチュエータ１１ｅと１１ｆの弾性係数を同時に上げて剛性が同時に上がるように、前額剛性目標値出力部２４で制御している。
【００８０】
図１５は、各アクチュエータ１０，１１の一例である空気圧アクチュエータの特性を示した図である。
【００８１】
アクチュエータ設定値設定部２６は、この図１５をモデル化して内部記憶部に記憶しており、上記式より求められる各アクチュエータ１０，１１の目標弾性係数に基づき、目標内部空気圧圧力値をアクチュエータ設定値設定部２６で計算する。この値をアクチュエータの設定値として、アクチュエータ設定値設定部２６からアクチュエータ制御部２７に出力する。
【００８２】
アクチュエータ制御部２７は、アクチュエータ設定値設定部２６から入力されたアクチュエータ設定値に基づき、アクチュエータ１０，１１の制御を行う。この結果、例えば、左右それぞれの足において、足の踵接地時から足が完全に路面から完全に離れた時までの区間の股関節又は足首の左側面と右側面とにそれぞれ伝達する剛性が、他の区間の剛性よりも大きくなるように前額剛性目標値出力部２４でアクチュエータ１０，１１を制御することができる（例えば、図１４の１０ｅ，１０ｆのグラフを参照。）。すなわち、前額剛性目標値出力部２４は、路面情報及びユーザ１００の歩行周期情報に基づいて、第１の剛性目標値よりも第２の剛性目標値を小さくするとともに、足が路面に接地する直前に第２の剛性目標値から第１の剛性目標値に変更して左側面と右側面とにそれぞれ伝達する剛性を大きくすることができる。ここで、第１の剛性目標値は、ユーザ１００の足が路面に接触しているときの左側面と右側面とにそれぞれ伝達する剛性の目標値であり、第２の剛性目標値は、ユーザ１００の足が路面に接触していないときの左側面と右側面とにそれぞれ伝達する剛性の目標値である。このように剛性目標値を大きく変更することにより、左右方向への移動が規制されて足首の左右の側面が両方同時に剛体で支持されるかのような状態となり、歩行中のユーザ１００の左側への転倒と右側への転倒とを防止することができる。
【００８３】
以上のように、第１実施形態は、ユーザ１００の各脚の股関節又は各足首の左側面に対応する部分に配置されて、流体を加減することにより伸縮する左太腿左側と右太腿左側との腿アクチュエータ１０ｈ，１０ｆ又は左足首左側と右足首左側との足首アクチュエータ１１ｈ，１１ｆと、脚の股関節又は足首の右側面に対応する部分に配置されて、流体を加減することにより伸縮する左太腿右側と右太腿右側との腿アクチュエータ１０ｅ，１０ｇ又は左足首右側と右足首右側との足首アクチュエータ１１ｅ，１１ｇとを備えている。また、制御装置３は、アクチュエータ１０，１１をそれぞれ独立してそれぞれの流体の供給量を制御することにより、少なくともフットセンサ８ａ，８ｂからの接地状態情報に基づいて、例えば、左右それぞれの足において、歩行周期が０％の足の踵接地時から歩行周期が６０％の足が完全に路面から完全に離れた時までの股関節又は足首の左側面と右側面とにそれぞれ伝達する剛性目標値を、他の区間の剛性目標値よりも大きくなるように前額剛性目標値出力部２４で変更して、足首の左右の側面が両方同時に剛体で支持されるかのような状態となり、歩行中のユーザ１００の左右方向への転倒を防止することができる。
【００８４】
また、制御装置３は、一例として、歩行周期推定部２０と、路面情報推定部２１と、タイミング判別部２３と、前額剛性目標値出力部２４と、アクチュエータ設定値設定部２６と、アクチュエータ制御部２７と、を備えて構成している。前額剛性目標値出力部２４は、路面情報推定部２１からの路面情報とタイミング判別部２３からの剛性変更タイミング情報とに基づき、股関節又は足首の左側面と右側面とにそれぞれ伝達する剛性目標値を決定し、アクチュエータ設定値設定部２６とアクチュエータ制御部２７との働きにより、左右の太腿アクチュエータ１０ｈ，１０ｆ，１０ｅ，１０ｇ又は左右の足首アクチュエータ１１ｈ，１１ｆ，１１ｅ，１１ｇによる股関節又は足首の左側面と右側面とにそれぞれ伝達する剛性を剛性目標値通りに制御することが可能となる。これによりアシストシステム１はアシスト対象者であるユーザ１００が歩行中に転倒することを可能な限り防止することができる。
【００８５】
また、路面情報推定部２１により路面の曲率Ｒを推定し、推定した曲率Ｒが路面Ｒ小のグループであると路面情報推定部２１で判定したときは、初期設定の剛性目標値よりも大きくアクチュエータ設定値設定部２６で設定して、転倒防止を行うことが可能となる。逆に、推定した曲率Ｒが路面Ｒ大のグループであると路面情報推定部２１で判定したときは、初期設定の剛性目標値以下にアクチュエータ設定値設定部２６で設定して、脚の股関節又は足首が比較的自由に動かしやすくすることが可能となる。
【００８６】
ここで、一例として、最大剛性値を１００％とするとき、例えば、初期設定の剛性目標値を５０％と設定し、路面が平坦でなく転倒しやすい凹凸がある場合には、アクチュエータ設定値設定部２６で設定する剛性目標値を最大剛性値である１００％近くに高く設定する一方、路面が平坦で転倒しにくい場合には、アクチュエータ設定値設定部２６で設定する剛性目標値を３０％近くに低く設定することができる。なお、初期設定の剛性目標値として、５０％ではなく、３０％と低めに設定するようにしてもよい。
【００８７】
また、図１６に示すように、ユーザ１００が右足１００ａで路面９０の段差９１がある場所（例えば、溝など）を踏んでしまった場合、図１７のフットセンサ８ｂの出力状態となる。図１７では、例えば、一点鎖線で示す段差９１の左側が溝の空間部分であり、段差９１の右側が溝の縁部分の路面９０であると推定される。ここでは、溝の空間部分に対応する右足の裏の左側のハッチング無しのフットセンサ８ｂは、オフ状態の信号を出力しており、溝の縁部分の路面に対応する右足の裏の右側のハッチングされたフットセンサ８ｂは、オン状態の信号を出力している。このように、片側（すなわち、図１７では左側）にＯＮ状態のフットセンサ８ｂが偏り、反対の片側がＯＦＦ状態のフットセンサ８ｂが偏った場合、路面情報推定部２１では「段差」と判定し、Ｒ＝０とする。
【００８８】
このようなフットセンサ８ｂの偏りは、路面情報推定部２１に偏りのある信号モデルを予め持たせておき、偏りのある信号モデルとの一致度から判定する。図２６は、それぞれ、段差９１を踏んでしまった場合の信号モデル図の一例である。このような信号モデル図を、複数個、路面情報推定部２１に予め持たせておき、複数個の信号モデル図との一致度が、予め決めておいた閾値（一例として９５％等）を超えた場合に、段差と路面情報推定部２１で判定し、路面情報推定部２１でＲ＝０とする。例えば図１７のフットセンサ８ｂの信号の状態は、図２６の左から２番目の信号モデル図と１００％一致するため、段差と路面情報推定部２１で判定できる。
【００８９】
タイミング判別部２３は、歩行周期推定部２０から出力されるユーザの歩行情報の一例である歩行周期情報に基づき、ユーザ１００が足を接地する直前から路面から離れるまでの間だけ剛性を上げることにより、足首の左右の側面が両方同時に剛体で支持されるかのような状態となって転倒防止すると同時に、足が宙に浮いている時には足の関節の動きを阻害しないように剛性を小さくすることができる。これにより、例えば、路面に障害物があるようなときに、ユーザ１００が足を置く場所を調整しながら歩行するケースにおいて、ユーザ１００の足の動きを阻害することなく、転倒防止することができる。
【００９０】
以上のように、前記第１実施形態では、路面情報に基づいて、路面の表面に凹凸が多く転倒しやすい状態では、剛性を上げることにより、足首の左右の側面が両方同時に剛体で支持されるかのような状態となって歩行中のユーザの左側への転倒または右側への転倒が防止できる一方、路面の表面に凹凸が少なく平坦で転倒しにくい状態では、剛性を下げることにより、歩行しやすくすることができる。また、ユーザ１００が歩行中に例えば足の裏の半分程度が溝又は開口に差し掛かったとき、路面の曲率Ｒがゼロとなって脚が接触している部分が段差９１であるという情報を路面情報推定部２１で推定することができ、その結果、股関節又は足首の左側面と右側面とにそれぞれ伝達する剛性目標値を大きくするように剛性目標値出力部２４で制御して転倒防止を図ることができる。
【００９１】
（第２実施形態）
図１８は、本発明の第２実施形態における歩行転倒防止装置の一例としてのアシストシステム１における制御装置３及び制御対象を示すブロック図である。
【００９２】
制御装置３は、歩行周期推定部２０と、タイミング判別部２３と、剛性目標値出力部２４と、アクチュエータ設定値設定部２６と、アクチュエータ制御部２７とを少なくとも備えて構成している。
【００９３】
アシストパンツ２には、入力インターフェース部２００の構成要素の一部として、路面状況（例えば転倒しやすい路面状況）の情報を路面情報として取得する路面状況取得部の一例としての路面状況入力部２９を備えている。路面状況入力部２９は、情報取得部の一例として機能する。具体的には、例えば、路面状況入力部２９は、アシストパンツ２に装着されて制御装置３と接続されたタッチパネル、又は、アシストパンツ２とは別体に設けられて制御装置３と接続可能なスマートフォンなどの携帯機器で構成することができる。
【００９４】
路面状況入力部２９は、現在（すなわち、歩行開始時又は歩行時）の路面状況をユーザ１００が入力する入力部を備えており、ユーザ１００が入力した現在（すなわち、歩行開始時又は歩行時）の路面状況の情報を前額剛性目標値出力部２４に出力する。例えば、路面状況入力部２９には、転倒しやすい路面状況として、例えば、天候が雪又は雨などの場合、路面が濡れている場合、路面が滑りやすい素材で出来ている場合、その他の転倒しやすい路面状況である場合に、ユーザ１００がそのような路面状況の情報を入力する装置である。
【００９５】
図１９は、路面状況入力部２９の一例としてタッチパネル１２の表示画面１２ａを示した図である。転倒しやすい状況の場合の例として、天候が雪の場合、雨の場合、路面が濡れている場合、路面が滑りやすい素材で出来ている場合に、ユーザ１００がそのときの路面の状況を選択可能としている。この図１９の例では、ユーザ１００が「雪」のボタンを選択して、「決定」ボタンを押すことにより、「雪」であるとの路面状況の情報を前額剛性目標値出力部２４に出力できる状態を示している。路面状況入力部２９は、ユーザ１００により選択された情報を路面情報として、前額剛性目標値出力部２４に出力する。
【００９６】
前額剛性目標値出力部２４は、路面状況入力部２９から入力された路面情報を基に、剛性を上げたときの前額方向の運動の剛性目標値を決定し、次に、タイミング判別部２３から出力された剛性変更タイミング信号により、決定した剛性目標値が、現在（歩行時又は歩行開始時）の剛性値よりも高い剛性値であるか又は低い剛性値であるかを選択する。
【００９７】
一例として、図２０Ａ〜図２０Ｃに、剛性目標値出力部２４の動作の一例として右足の剛性の出力を示す。
【００９８】
図２０Ａ〜図２０Ｃの例では、まず、図２０Ａに路面状況と剛性値の上昇率との関係情報を示す。この図２０Ａに示すように、通常時の剛性値に比較して、高い剛性値を何倍に決定するかを剛性目標値出力部２４自体で予め記憶している。例えば、通常時が１．０倍のとき、雪が選択された例では、通常時に比べ、剛性値を１．５倍に剛性目標値出力部２４で決定する。
【００９９】
次に、図２０Ｂに示すように、右足において通常時の剛性を上げた時の剛性値を記憶している。この例では、今回の歩行周期の９８％〜次の歩行周期の６０％までが高い剛性値である。この例では、路面状況として「雪」が選択されていて、上昇率が１．５倍なので、通常時の高い剛性値は３０であるのに対して、「雪」のときの剛性値は、その１．５倍の４５であると剛性目標値出力部２４で計算される。
【０１００】
右足の歩行周期に対して出力する剛性値を、通常時の場合と雪の場合とで比較したものが図２０Ｃである。
【０１０１】
その他の構成及び動作については、前記第１実施形態と同様である。
【０１０２】
このように第２実施形態によれば、路面状況入力部２９で取得された、滑りやすいといった路面状況の路面情報を基に、アクチュエータ１０，１１をそれぞれ独立して前記それぞれの流体の供給量を制御して股関節又は足首の左側面と右側面とにそれぞれ伝達する剛性目標値を大きくなるように前額剛性目標値出力部２４で変更することができて、歩行中のユーザ１００の左右方向への転倒を防止することができる。
【０１０３】
前記第１及び第２実施形態では、一例として股関節と足首関節との左側面と右側面とにおける剛性をアシストする歩行アシストパンツ２ａを例に説明を行ったが、これに限られるわけではない。
【０１０４】
前記第１及び第２実施形態では、一例としてアクチュエータ１０，１１を空気圧アクチュエータに説明を行ったが、これに限られるわけではなく、例えばモータとプーリとワイヤとの組み合わせなどでもよい。
【０１０５】
（変形例）
前記第１及び第２実施形態の１つの変形例として、ユーザ１００の前後方向の歩行動作についてアシスト機能を付加する場合には、腿アクチュエータ１０に右脚股関節前後のアクチュエータ１０ａ，１０ｄと左脚股関節前後のアクチュエータ１０ｂ，１０ｃとをさらに追加することができる。また、同様な目的で、足首アクチュエータ１１に右足首前後のアクチュエータ１１ａ，１１ｄと左足首前後のアクチュエータ１１ｂ，１１ｃとをさらに追加することができる。制御装置３は、ユーザ情報と歩行情報とに基づいて、追加した腿アクチュエータ１０ａ，１０ｄ，１０ｂ，１０ｃと追加した足首アクチュエータ１１ａ，１１ｄ，１１ｂ，１１ｃとをそれぞれ独立して前記それぞれの流体の供給量を制御することにより、前記股関節又は前記足首の前後方向のアシスト力を変更するように制御している。
【０１０６】
具体的には、図２１及び図２２に示すように、アシストパンツ２ａには、追加の腿アクチュエータ１０として、アシストパンツ本体２ｄの右脚と左脚の前面に対応する部分に配置された前面側の腿アクチュエータ１０ａ、１０ｂと、右脚と左脚の後面に対応する部分に配置された背中側の腿アクチュエータ１０ｄ、１０ｃとを備えている。また、アシストアンクルバンド２ｂ，２ｃには、追加の足首アクチュエータ１１として、アンクルバンド本体２ｇ，２ｈの足首の前面に対応する部分に配置された前面側の足首アクチュエータ１１ａ、１１ｂと、アンクルバンド本体２ｇ，２ｈの足首の後面に対応する部分に配置された背中側の足首アクチュエータ１１ｄ、１１ｃとを備えている。
【０１０７】
腿アクチュエータ１０ａと１０ｄが拮抗の関係にあり、腿アクチュエータ１０ｂと１０ｃが拮抗の関係にある。よって、制御装置３の動作制御により、拮抗関係のペアの右脚の前側と後側との腿アクチュエータ１０ａと１０ｄとが、それぞれ引っ張り合うように駆動されることで、右脚の太腿に右脚股関節の前後のトルクを発生することができる。また、制御装置３の動作制御により、拮抗関係のペアの左脚の前側と後側との腿アクチュエータ１０ｂと１０ｃとが、それぞれ引っ張り合うように駆動されることで、左脚の太腿に左脚股関節の前後のトルクを発生することができる。
【０１０８】
足首アクチュエータ１１も同様に、足首アクチュエータ１１ａと１１ｄが拮抗の関係にあり、足首アクチュエータ１１ｂと１１ｃが拮抗の関係にある。よって、制御装置３の動作制御により、拮抗関係のペアの右足首アクチュエータ１１ａと１１ｄとが、それぞれ引っ張り合うように駆動されることで、右足首の前後のトルクを発生することができる。また、制御装置３の動作制御により、拮抗関係のペアの左足首アクチュエータ１１ｂと１１ｃとが、それぞれ引っ張り合うように駆動されることで、左足首の前後のトルクを発生することができる。
【０１０９】
この変形例の場合には、制御装置３の一例としては、アシスト歩行のために、トルク目標値設定部２５と矢状剛性目標値出力部２８とをさらに備えることができる。
【０１１０】
トルク目標値設定部２５は、歩行周期推定部２０から出力された歩行周期情報に基づき、歩行をアシストするトルク目標値を出力する。トルク目標値設定部２５は、歩行周期情報に対しての目標トルク値を予め記憶しており、それに基づいて歩行をアシストするトルク値、すなわち、左右の脚を前後方向に動かす矢状方向のトルクの目標値を決定し、決定した矢状方向のトルクの目標値をアクチュエータ設定値設定部２６に出力する。左右の脚を前後方向に動かす矢状方向のトルクとは、腿アクチュエータ１０ａと１０ｄのペアによって発生する右股関節の前後のトルクと、腿アクチュエータ１０ｂと１０ｃのペアによって発生する左股関節の前後のトルクと、足首アクチュエータ１１ａと１１ｄのペアによって発生する右足首関節の前後のトルクと、足首アクチュエータ１１ｂと１１ｃのペアによって発生する左足首関節の前後のトルクとを指す。トルク目標値設定部２５は、前額方向の運動に対しては、トルク目標値０を出力する。
【０１１１】
図２３は、足の股関節と足首関節とのそれぞれの前後の動きに対するトルク目標値（言い換えれば、股関節の前後のアシストトルクと足首関節の前後のアシストトルク）の一例を示す図である。股関節の前後のアシストトルクとは、アクチュエータ１０ａとアクチュエータ１０ｄのペア及びアクチュエータ１０ｂとアクチュエータ１０ｃのペアによってそれぞれ発生する股関節前後運動のアシストトルクのことを示す。また、足首関節の前後のアシストトルクとは、アクチュエータ１１ａとアクチュエータ１１ｄのペア及びアクチュエータ１１ｂとアクチュエータ１１ｃのペアによってそれぞれ発生する足首関節前後運動のアシストトルクのことを示す。図２３の例では、アクチュエータ１０ａとアクチュエータ１０ｄのペア及びアクチュエータ１０ｂとアクチュエータ１０ｃのペアによって、歩行周期において左足が路面に接地したときから路面から離れるときまでの区間で、左足を屈曲させたのち伸展させて、アシスト力を発生させている。同様に、アクチュエータ１１ａとアクチュエータ１１ｄのペア及びアクチュエータ１１ｂとアクチュエータ１１ｃのペアによって、歩行周期において左足が路面に接地したときから路面から離れるときまでの区間で、左足首を屈曲させて、アシスト力を発生させている。
【０１１２】
矢状剛性目標値出力部２８は、歩行周期推定部２０から出力された歩行周期情報を基に矢状方向の運動の剛性目標値を決定し、決定した矢状方向の運動の剛性目標値を矢状剛性目標値出力部２８からアクチュエータ設定値設定部２６に出力する。矢状方向の運動の剛性目標値は、歩行周期情報の関数として予め決定し、矢状剛性目標値出力部２８が記憶している。
【０１１３】
アクチュエータ設定値設定部２６は、第１及び第２実施形態と同様に前額剛性目標値出力部２４から出力された剛性の目標値と共に、矢状剛性目標値出力部２８から出力された剛性目標値と、トルク目標値設定部２５から出力されたトルク目標値とに基づき、腿と足首のアクチュエータ１０，１１の設定値を設定し、設定した腿と足首のアクチュエータ１０，１１の設定値をアクチュエータ設定値設定部２６からアクチュエータ制御部２７に出力する。
【０１１４】
図１４に右足の腿アクチュエータ１０の歩行周期と目標弾性係数との関係の一例を示す。
【０１１５】
図１４の１番目と２番目のグラフに示すように、アクチュエータ１０ａと１０ｄは、股関節前後のトルク及び剛性をアシストするアクチュエータであり、前後には剛性をアシストせずトルクのみをアシストした例である。この場合、歩行周期の情報に基づいて脚を後ろに振る伸展方向へのアシストトルクが必要な時は、股関節後側のアクチュエータであるアクチュエータ１０ｄの弾性係数が上がって剛性が上がるとともに、歩行周期の情報に基づいて逆向きの時は、股関節前側のアクチュエータであるアクチュエータ１０ａの弾性係数が上がって剛性が上がるように、前額剛性目標値出力部２４で制御している。
【０１１６】
図１４の４番目と５番目のグラフに示すように、足首も同様に、足首を屈曲させるアシストトルクを発生させる時に、歩行周期の情報に基づいて足首を後ろに曲げて伸展方向へのアシストトルクが必要な時は、足首の後側のアクチュエータであるアクチュエータ１１ｄの弾性係数が上がって剛性が上がり、歩行周期の情報に基づいて逆向きの時は、足首の前側のアクチュエータであるアクチュエータ１１ａの弾性係数が上がって剛性が上がるように、前額剛性目標値出力部２４で制御している。
【０１１７】
この変形例によれば、ユーザ１００の前後方向の歩行アシストと、左側面と右側面とにおける剛性アシストとを同時に達成することができる。
【０１１８】
なお、本発明を第１及び第２実施形態及び変形例に基づいて説明してきたが、本発明は、前記の第１及び第２実施形態及び変形例に限定されないのはもちろんである。以下のような場合も本発明に含まれる。
【０１１９】
前記制御装置３の一部又は全部は、具体的には、マイクロプロセッサ、ＲＯＭ、ＲＡＭ、ハードディスクユニットなどから構成されるコンピュータシステムである。前記ＲＡＭ又はハードディスクユニットには、コンピュータプログラムが記憶されている。前記マイクロプロセッサが、前記コンピュータプログラムにしたがって動作することにより、各部は、その機能を達成する。ここでコンピュータプログラムは、所定の機能を達成するために、コンピュータに対する指令を示す命令コードが複数個組み合わされて構成されたものである。
【０１２０】
例えば、ハードディスク又は半導体メモリ等の記録媒体に記録されたソフトウェア・プログラムをＣＰＵ等のプログラム実行部が読み出して実行することによって、各構成要素が実現され得る。
【０１２１】
なお、前記第１及び第２実施形態又は変形例における制御装置を構成する要素の一部又は全部を実現するソフトウェアは以下のようなプログラムである。つまり、このプログラムは、ユーザの腰部に固定される腰部ベルトと膝上部に固定される膝上ベルトとを備える第１のアシストウェアと、
前記ユーザの足首上部に固定される足首上ベルトと足首下部に固定される足首下部ベルトとを備える第２のアシストウェアと、
前記ユーザの各脚の股関節の（例えば各太腿の）左側面に対応する部分に配置され、前記腰部ベルトと前記膝上ベルトとの端部に連結されて、流体を加減することにより伸縮する第１アクチュエータと、
前記各脚の前記股関節の（例えば各太腿の）右側面に対応する部分に配置され、前記腰部ベルトと前記膝上ベルトとの端部に連結されて、流体を加減することにより伸縮する第２アクチュエータと、
各脚の足首の左側面に対応する部分に配置され、前記足首上ベルトと前記足首下部ベルトとの端部に連結されて、流体を加減することにより伸縮する第３アクチュエータと、
前記各脚の前記足首の右側面に対応する部分に配置され、前記足首上ベルトと前記足首下部ベルトとの端部に連結されて、流体を加減することにより伸縮する第４アクチュエータとを備えるアシスト機構の動作を制御して、前記ユーザの歩行時における転倒を防止する歩行転倒防止装置用制御プログラムであって、
コンピュータを、
前記ユーザが歩行する路面の情報を取得する入力インターフェース部と、
前記入力インターフェース部で取得した前記路面の情報に基づいて、前記第１〜第４のアクチュエータをそれぞれ独立して前記それぞれの流体の供給量を制御することにより、前記股関節又は前記足首の左側面と右側面とにそれぞれ伝達する剛性目標値を変更するように制御する剛性制御部として機能させるための歩行転倒防止装置用制御プログラムである。
【０１２２】
また、このプログラムは、サーバなどからダウンロードされることによって実行されてもよく、所定の記録媒体（例えば、ＣＤ−ＲＯＭなどの光ディスク、磁気ディスク、又は、半導体メモリなど）に記録されたプログラムが読み出されることによって実行されてもよい。
【０１２３】
また、このプログラムを実行するコンピュータは、単数であってもよく、複数であってもよい。すなわち、集中処理を行ってもよく、あるいは分散処理を行ってもよい。
【０１２４】
なお、上記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【０１２５】
本発明の歩行転倒防止装置、歩行転倒防止装置の制御装置及び制御方法、並びに、歩行転倒防止装置用制御プログラムは、ユーザが装着してユーザの動作をアシストする歩行転倒防止装置、歩行転倒防止装置の制御装置及び制御方法、並びに、歩行転倒防止装置用制御プログラムとして有用である。
【符号の説明】
【０１２６】
１  アシストシステム
２  アシスト機構
２ａ  アシストパンツ
２ｂ，２ｃ  アシストアンクルバンド
２ｄ  アシストパンツ本体
２ｇ，２ｈ  アンクルバンド本体
２ｊ，２ｋ  アシストソックス
３  制御装置
４  腰部ベルト
５ａ、５ｂ  膝上ベルト
６ａ、６ｂ  足首上ベルト
７ａ、７ｂ  足首下ベルト
８ａ、８ｂ  フットセンサ
１０、１０ａ、１０ｂ、１０ｃ、１０ｄ、１０ｅ、１０ｆ、１０ｇ、１０ｈ、１０ｉ、１０ｇ、  腿アクチュエータ
１１、１１ａ、１１ｂ、１１ｃ、１１ｄ、１１ｅ、１１ｆ、１１ｇ、１１ｈ、１１ｉ、１１ｇ、  足首アクチュエータ
１２  タッチパネル
１２ａ  表示画面
２０  歩行周期推定部
２１  路面情報推定部
２３  タイミング判別部
２４  前額剛性目標値出力部
２５  トルク目標値設定部
２６  アクチュエータ設定値設定部
２７  アクチュエータ制御部
２８  矢状剛性目標値出力部
２９  路面状況入力部
４０  制御プログラム（制御器）
４１  入出力ＩＦ
８０  空気圧アクチュエータ
８１  管状の中空弾性体
８２  変形方向規制部材
８３  封止部材
８４  流体通過部材
９０  路面
９１  段差
１００  ユーザ
１００ａ  足
１５１  前額面
１５２  矢状面
２００  入力インターフェース部
【図１】
2018114277.tif 000008
【図２】
2018114277.tif 000009
【図３】
2018114277.tif 000010
【図４】
2018114277.tif 000011
【図５】
2018114277.tif 000012
【図６】
2018114277.tif 000013
【図７】
2018114277.tif 000014
【図８】
2018114277.tif 000015
【図９Ａ】
2018114277.tif 000016
【図９Ｂ】
2018114277.tif 000017
【図１０】
2018114277.tif 000018
【図１１Ａ】
2018114277.tif 000019
【図１１Ｂ】
2018114277.tif 000020
【図１２】
2018114277.tif 000021
【図１３】
2018114277.tif 000022
【図１４】
2018114277.tif 000023
【図１５】
2018114277.tif 000024
【図１６】
2018114277.tif 000025
【図１７】
2018114277.tif 000026
【図１８】
2018114277.tif 000027
【図１９】
2018114277.tif 000028
【図２０Ａ】
2018114277.tif 000029
【図２０Ｂ】
2018114277.tif 000030
【図２０Ｃ】
2018114277.tif 000031
【図２１】
2018114277.tif 000032
【図２２】
2018114277.tif 000033
【図２３】
2018114277.tif 000034
【図２４】
2018114277.tif 000035
【図２５】
2018114277.tif 000036
【図２６】
2018114277.tif 000037